(57)【要約】      （修正有）【課題】簡単な構成でありながら、着火剤の塗布量を常に最適なものに調整することのできる着火剤容器及び着火セットを提供する。【解決手段】線香セット１は、線香３と、線香３に着火するときに、その先端に塗布する着火剤を封入可能な容器４と、着火具としてのライター５とを備えており、このうちの容器４には、着火剤の塗布量を調整する調整部材としてのスポンジなどをさらに備えているので、線香３の先端を容器２内に突っ込んで着火剤を塗布する際に、その塗布量を常に最適なものに調整することができるとともに、線香３の着火に必要なものをまとめてその利便性を高めることができるようになっている。【選択図】図２
2015061555.tif 000002
【特許請求の範囲】
【請求項１】
線香に着火するときに、該線香の先端に塗布する着火剤を封入可能な容器であって、
前記着火剤の塗布量を調整する調整部材を備えたことを特徴とする着火剤容器。
【請求項２】
前記調整部材は、着火剤を浸み込ませたスポンジであることを特徴とする請求項１記載の着火剤容器。
【請求項３】
前記調整部材は、容器本体の底面又は側面から弾性支持された孔開きプレートであることを特徴とする請求項１記載の着火剤容器。
【請求項４】
前記調整部材は、容器本体の底面又は側面から該容器本体内に着火剤を押し出す押し出しチューブであることを特徴とする請求項１記載の着火剤容器。
【請求項５】
前記調整部材は、着火剤に混入させた複数のビーズ玉であることを特徴とする請求項１記載の着火剤容器。
【請求項６】
携帯用ケース内に、線香と、請求項１〜５のいずれか１項に記載の着火剤容器と、着火具とを収納したものであることを特徴とする線香セット。
【発明の詳細な説明】
【技術分野】
【０００１】
本発明は、例えば戸外における強風下でも線香に容易に着火することができるように工夫した着火剤を封入した容器及び線香セットに関するものである。
【背景技術】
【０００２】
一般的にお墓参りは、お盆、お彼岸（春分の日、秋分の日）、ゴールデンウィークに行っているが、墓碑は戸外にあるのが通常であるので、一番頭を悩ませるのが、そこにお供えする線香の火付けである。この線香の火付け方法として、従来、下記の方法（１）〜（４）などがとられている。
【０００３】
（１）墓碑の近くで新聞紙等に火をつけて、線香の火付けをする。この場合、新聞紙等の炎が大きくなり熱い。また、その燃え殻の後始末が大変である。（２）風防カバーを付けたライターを使って、線香の火付けをする。この場合、少し強い風が吹けば、複数の手で覆わなければ、火が付きにくい。（３）少量の線香にライターで火を付ける。この場合、家族、墓数が多ければ、数回の着火が必要となる。（４）ターボ式のライターを使い、線香の火付けをする。この場合、少量の線香にしか火付けすることができない。
【０００４】
そこで、例えば特許文献１では、線香と、点火するときに該線香の先に塗布する点火剤との組み合わせからなる点火剤付き線香が開示されている。
【０００５】
ところで、線香の先に点火剤を塗ってマッチやライターで火を付ければ、まず点火剤に着火し、その炎で線香に容易に着火する。点火剤は揮発成分（アルコール等）を含んでおり、空気にさらしておくと劣化して火が付きにくくなるが、ここでは点火剤を密閉容器に入れてあるので、そのおそれはないと記載されている。
【発明の概要】
【発明が解決しようとする課題】
【０００６】
しかしながら、特許文献１の技術は、線香の先を容器に直接突っ込んで点火剤を塗布するものであるため、塗布量は目分量でしか調整することができなかった。そのため、塗布量を少なくしすぎると、線香に点火困難となり、塗布量を多くしすぎると、線香に点火するやいなや炎が上がって線香が燃え尽きてしまう、といった不具合があった。
【０００７】
本発明は、上記事情に鑑みたものであり、その目的とするところは、簡単な構成でありながら、着火剤の塗布量を常に最適なものに調整することのできる線香の着火剤容器及び線香セットを提供することである。
【課題を解決するための手段】
【０００８】
第一の発明は、線香に着火するときに、該線香の先端に塗布する着火剤を封入可能な容器であって、前記着火剤の塗布量を調整する調整部材を備えたことを特徴とするものである。
【０００９】
第一の発明によれば、前記着火剤の塗布量を調整する調整部材を備えたので、線香の先端を容器に突っ込んで着火剤を塗布する際に、その塗布量を常に最適なものに調整することができる。これにより、従来技術のように、塗布量を少なくしすぎると、線香に点火困難となり、塗布量を多くしすぎると、線香に点火するやいなや炎が上がって線香が燃え尽きてしまう、といった不具合をなくすことができる。
【００１０】
請求項２記載の発明のように、前記調整部材は、着火剤を浸み込ませたスポンジであることが好ましい。
【００１１】
請求項２記載の発明によれば、前記調整部材は、着火剤を浸み込ませたスポンジであるので、線香の先端を容器に突っ込んで着火剤を塗布する際に、スポンジがクッションとなって、線香の先端を傷めにくくなる。また、線香の先端を容器に突っ込んで着火剤を塗布する際に、該線香の先端で圧縮されたスポンジから所定量ずつ浸み出してくる着火剤を塗布することにより、その塗布量を常に最適なものに調整することができる。
【００１２】
請求項３記載の発明のように、前記調整部材は、容器本体の底面又は側面から弾性支持された孔開きプレートであることが好ましい。
【００１３】
請求項３記載の発明によれば、前記調整部材は、容器本体の底面又は側面から弾性支持された孔開きプレートであるので、線香の先端を容器に突っ込んで着火剤を塗布する際に、該線香の先端で押し下げられた孔開きプレートを介して所定量ずつ取り出される着火剤を塗布することにより、その塗布量を常に最適なものに調整することができる。
【００１４】
請求項４記載の発明のように、前記調整部材は、容器本体の底面又は側面から該容器本体内に着火剤を押し出す押し出しチューブであることが好ましい。
【００１５】
請求項４記載の発明によれば、前記調整部材は、容器本体の底面又は側面から該容器本体内に着火剤を押し出す押し出しチューブであるので、押し出しチューブから所定量ずつ押し出される着火剤を塗布することにより、その塗布量を常に最適なものに調整することができる。
【００１６】
請求項５記載の発明のように、前記調整部材は、着火剤に混入させた複数のビーズ玉であることが好ましい。
【００１７】
請求項５記載の発明によれば、前記調整部材は、着火剤に混入させた複数のビーズ玉であるので、線香の先端を容器に突っ込んで着火剤を塗布する際に、該線香の先端に付着される着火剤がビーズ玉で運ばれ、或いは、そぎ落とされることにより、その塗布量を常に最適なものに調整することができる。
【００１８】
第二の発明は、携帯用ケース内に、少なくとも線香と、請求項１〜５のいずれか１項に記載の着火剤封入容器と、着火具とを収納したものであることを特徴とする線香セットに係るものである。
【００１９】
第二の発明によれば、携帯用ケース内に、線香と、請求項１〜５のいずれか１項に記載の着火剤容器と、着火具とを収納したものであるので、第一の発明と同様の作用効果に加えて、線香の着火に必要なものをまとめることにより利便性を高めている。
【発明の効果】
【００２０】
第一の発明によれば、前記着火剤の塗布量を調整する調整部材を備えたので、線香の先端を容器に突っ込んで着火剤を塗布する際に、その塗布量を常に最適なものに調整することができる。これにより、従来技術のように、塗布量を少なくしすぎると、線香に点火困難となり、塗布量を多くしすぎると、線香に点火するやいなや炎が上がって線香が燃え尽きてしまう、といった不具合をなくすことができる。
【００２１】
第二の発明によれば、携帯用ケース内に、線香と、請求項１〜５のいずれか１項に記載の着火剤容器と、着火具とを収納したものであるので、第一の発明と同様の作用効果に加えて、線香の着火に必要なものをまとめることにより利便性を高めている。
【図面の簡単な説明】
【００２２】
【図１】本発明の一実施形態に係る線香セットの全体構成を示す斜視図である。
【図２】本線香セットの詳細構成を示す説明図であって、（ａ）は展開図、（ｂ）はＡ−Ａ断面図である。
【図３】本容器の調整部材を示す説明図である。
【図４】線香の着火操作１を示す説明図である。
【図５】線香の着火操作２を示す説明図である。
【図６】線香の着火操作３を示す説明図である。
【発明を実施するための形態】
【００２３】
図１は本発明の一実施形態に係る線香セット１の全体構成を示す斜視図、図２は本線香セット１の詳細構成を示す説明図であって、（ａ）は展開図、（ｂ）はＡ−Ａ断面図である。図１及び図２（ａ）（ｂ）に示すように、本実施形態の線香セット１は、携帯可能なケース２内に、２束の線香３，３と、着火剤を封入した容器４と、着火具としてのライター５と、三角錐状の押出具６とを詰め合せたものである。以下、各要素について詳述するが、線香３，３とライターとは市販品をそのまま使用することができるので、その詳細説明は割愛する。
【００２４】
ケース２は、例えば上下二段重ねの箱体２１，２２からなるものである。下部の箱体２１には、容器４とライター５との間に押出具６を介在させることで、容器４とライター５とが接触しにくくなっている。上部の箱体２２には、２束の線香３，３を並べて収納することができるようになっている。そして、箱体２１，２２は、それらを区画する中蓋２３，２４と、一側に設けられたヒンジ２５と、他側に設けられた留め具２６，２６とでもって、携帯時に閉止状態、使用時に開放状態とすることができる。
【００２５】
線香３，３は、複数本数の線香本体３１，３１，・・・を帯３２，３２で束ねているものであって、それらの先端３３，３４が突出しないように揃えられているのが通常である（後述する図４（ａ）参照）。なお、複数本数の線香本体３１，３１，・・・が包装紙で包装されている場合は、それをケース２から取り出したときに包装紙を外しておくことが必要である。
【００２６】
容器４は、線香３に着火するときに、線香３の先端に塗布する着火剤４３を封入可能であって、円筒形状の容器本体４１と、この容器本体４１に開閉自在に取り付けられる容器蓋４２と、容器本体４１内に充填される着火剤４３の線香３への塗布量を調整する調整部材４ａ〜４ｄの少なくともいずれかとを備えている。ここに、着火剤４３は、例えばメタノール、エチレングリコールを主成分とする液状又はゲル状のものである。以下、調整部材４ａ〜４ｄについて詳述する。図３（ａ）〜（ｄ）は容器４の調整部材４ａ〜４ｄを示す説明図である。
【００２７】
調整部材４ａは、図３（ａ）に示すように、着火剤４３を浸み込ませたスポンジ４４であって、これを容器本体４１に入れておくだけであるから、もっとも簡単な構成となっている。そして、線香３の先端を容器本体４１内に突っ込んで着火剤４３を塗布する際に、線香３の先端で圧縮されたスポンジから浸み出してくる着火剤４３をその線香３の先端に塗布するようになっている。ここで、スポンジ４４は、ソフトでしなやかな弾性を持っているので、線香３の先端を押し付けて着火剤４３を塗布する際に、その先端を傷めることがない。スポンジ４４としては、ミクロン単位の気孔が全て連続し、着火剤４３の浸み込み力が優れているものを使用する。
【００２８】
ところで、本発明者の実験によれば、着火剤４３が高粘度のゲル状のものでは、通常のスポンジ４４への着火剤４３の浸み込みがあまり期待できない。そこで、同図に示すように、スポンジ４４に縦貫通孔４４ａを複数設けることで対応するか、或いは、着火剤４３にメタノール原液を適量加えることにより、その粘度を調整して、スポンジ４４に浸み込ませることで、線香３へのつけすぎの加減が容易になり、円滑に着火できることがわかった。この場合、着火剤４３の揮発を抑止するために、着火剤４３を浸み込ませたスポンジ４４を、例えばパッキン＋ネジ締め式の容器蓋４２を備えた、いわゆる密閉容器内に保管することが好ましい。
【００２９】
調整部材４ｂは、図３（ｂ）に示すように、容器本体４１の底面（又は側面）から１又は複数のスプリング４６で弾性支持された孔開きプレート４５である。そして、容器本体４１内に、ゲル状の着火剤４３を孔開きプレート４５の下部に充填した状態で、線香３の先端を孔開きプレート４５に押し付けることにより、着火剤４３を孔開きプレート４５の上に押し出して、この押し出した着火剤４３を線香３の先端に塗布するようになっている。また、線香３の先端に着火剤４３を塗布した後は、スプリング４６の弾性復帰力でもって、孔開きプレート４５がもとの位置に戻るようになっている。そこで、スプリング４６の弾性係数と、孔開きプレート４５の孔径及び孔数とは、線香３の先端を傷めず、着火剤の押し出し量が、線香３の先端への必要とされる塗布量とほぼ等しくなるように設定されることが好ましい。
【００３０】
また、線香３の先端に着火剤４３を塗布する際などに、容器本体４１の上縁から着火剤４３が押し出されてくるおそれがある。そこで、容器本体４１の上縁には、かかる押しこぼれ防止用のリング部材４７が形成されている。
【００３１】
調整部材４ｃは、図３（ｃ）に示すように、容器本体４１の底面（又は側面）から容器本体４１内に着火剤４３を押し出す押し出しチューブ４８である。そして、ゲル状の着火剤４３を充填した状態の押し出しチューブ４８を例えば手で握って圧縮することにより、容器本体４１内に線香３の先端への必要とされる塗布量を押し出し、この押し出した着火剤４３を線香３の先端に塗布するようになっている。また、線香３の先端に着火剤４３を塗布した後は、押し出しチューブ４８はその復元力でもって、もとの状態に戻るようになっている。そこで、押し出しチューブ４８の形状等は、着火剤４３の押し出し量が、線香３の先端への必要とされる塗布量とほぼ等しくなるように設定されることが好ましい。
【００３２】
調整部材４ｄは、図３（ｄ）に示すように、着火剤４３に混入させた複数のカラービーズ（ビーズ玉に相当する。）４９であって、これを容器本体４１に入れておくだけであるから、これも簡単な構成となっている。そして、線香３の先端を容器本体４１内に突っ込んで着火剤４３を塗布する際に、線香３の先端に付着される着火剤４３がカラービーズ４９で運ばれ、或いは、そぎ落とされるようになっている。そこで、カラービーズ４９の形状と数量とは、かかる着火剤４３の付着量が、線香３の先端への必要とされる塗布量とほぼ等しくなるように設定されることが好ましい。なお、カラービーズの色は、着火剤４３のそれと区別されるものであれば特に限定されない。
【００３３】
押出具６は、図１、図２（ａ）（ｂ）に示すように、ケース２の下部箱体２１内に設けられた例えば円錐形の突起であって、その尖塔部を上に向けて下部箱体２１の底面上に形成されている。そして、線香３の束の先端３３，３４のうちの、一方（一端３３）を押し付けることによって、他方（他端３４）を押し出すようになっている。この押し出し後は、一端３３ａ、他端３４ａとする。
【００３４】
この押し出し後の他端３４ａは、押出具６と同じく円錐形の突起となり、上述した容器４の容器本体４１内で、調整部材４ａ〜４ｄのいずれかと協動して着火剤４３を塗布しやすくなる。このため、押出具６の平面積は、線香３の先端３３，３４の平面積とほぼ等しいか、若干大きく設定されていることが好ましい。なお、押出具６をケース２とは別個に設けておき、それをケース２の底面に例えば接着剤で貼り付けて固定するか、或いは、ケース２の底面に固定せずに、単に入れておき、それを取り出して使用するようにしてもよい。この押出具６は本線香セット１の必須の要素ではない。
【００３５】
以下、本線香セット１の使用手順を説明する。ここで、図４〜図６は線香３の着火操作１〜３を示す説明図である。
【００３６】
使用場所に携帯した線香セット１のケース２は、図１に示すように閉止状態となっているので、そのケース２を、図２（ａ）（ｂ）に示すように展開して、開放状態とする。具体的には、上部箱体２２ａを下部箱体２１に留めている留め具２６，２６を外す。ついで、上部箱体２２ａを下部箱体２１に対してヒンジ２５まわりにＢ方向に回転させて、下部箱体２１の真横に上部箱体２２が並ぶように展開する。ついで、中蓋２３，２４をそれぞれＣ，Ｃ方向に回転させて、上部箱体２２からは１束の線香３を取り出し、下部箱体２１からは容器４と、ライター５とを外部に取り出す。
【００３７】
そして、図４（ａ）に示すように、線香３を下部箱体２１の底面に対して略垂直にした状態でＤ方向に押し下げることにより、その線香３の一端３３を押出具６に押し付ける。すると、図４（ｂ）に示すように、線香３の一端３３が円錐状に引っ込んで（３３ａ）、他端３４が円錐状に突出する（３４ａ）。
【００３８】
ついで、線香３の上下を逆転させて、図５（ａ）（ｂ）に示すように、Ｅ方向に押し下げることにより、その他端３４ａを開放状態の容器本体４１内に一旦突っ込み、しかる後に、Ｅ方向と反対方向に押し上げることにより、その先端３４ａを容器本体４１から引き出す。
【００３９】
ここで、容器本体４１内にスポンジ４４からなる調整部材４ａを備えている場合は、線香３の他端３４ａを容器本体４１に突っ込んで着火剤４３を塗布する際に、スポンジ４４がクッションとなって、線香３の他端３４ａを傷めにくくなる。また、線香３の他端３４ａを容器本体４１に突っ込んで着火剤４３を塗布する際に、線香３の他端３４ａで圧縮されたスポンジ４４から所定量ずつ浸み出してくる着火剤４３をその線香３の他端３４ａに塗布することにより、その塗布量を常に最適なものに調整することができる。
【００４０】
また、容器本体４１内にその底面（又は側面）からスプリング４６で弾性支持された孔開きプレート４５と容器本体４１の上縁に押しこぼれ防止用のリング部材４７とからなる調整部材４ｂを備えている場合は、線香３の他端３４ａを容器本体４１に突っ込んで着火剤４３を塗布する際に、線香３の他端３４ａで押し下げられた孔開きプレート４５を介して所定量ずつ取り出される着火剤４３をその線香３３の他端３４ａに塗布することにより、その塗布量を常に最適なものに調整することができる。
【００４１】
なお、線香３の他端３４ａを容器本体４１内に突っ込んで、孔開きプレート４５を押し下げる際に、容器本体４１の上部から着火剤４３が押しこぼれることをリング部材４７で防止することができる。また、線香３の他端３４ａで押し下げられた孔開きプレート４５が、その線香３に塗布した残りの着火剤４３を載せたままスプリング４６の弾性復帰力でもとの位置に戻る際に、容器本体４１の上部から着火剤４３がこぼれてくるのも、リング部材４７で防止することができる。
【００４２】
また、容器本体４１の底面（又は側面）からその容器本体４１内に着火剤４３を押し出す押し出しチューブ４８からなる調整部材４ｄを備えている場合は、線香３の他端３４ａを容器本体４１に突っ込んで着火剤４３を線香３の他端３４ａに塗布する際に、押し出しチューブ４８から所定量ずつ押し出される着火剤４３をその線香３の他端３４ａに塗布することにより、その塗布量を常に最適なものに調整することができる。
【００４３】
また、容器本体４１内に着火剤４３に混入させた複数のカラービーズ４４らなる調整部材４ｄを備えている場合は、線香３の他端３４ａを容器本体４１に突っ込んで着火剤４３を塗布する際に、線香３の他端３４ａに付着される着火剤４３がカラービーズ４９で運ばれ、或いは、そぎ落とされることにより、その塗布量を常に最適なものに調整することができる。
【００４４】
ところで、着火剤４３を線香３の他端３４ａに付着させるときまでは、線香３は束になったままでよいが、ライター５で着火するときは、帯３２，３２を解いて線香３をばらばらにした方が、線香本体３１，３１，・・・間に空気（酸素）が行き渡るので、着火しやすい。そこで、上記のごとく着火剤４３を塗布した後に、帯３２，３２を解いて線香本体３１，３１，・・・をばらばらにした線香３を、図６に示すように、若干斜めにして、その線香３の他端３４ａにライター５の炎５１を近づけることにより着火する。こうすると、線香３の他端３４ａに塗布された着火剤４３がすぐに着火され、その熱で線香３の他端３４ａに着火する。
【００４５】
しかる後に、着火した線香３以外の容器４とライター５とを、それぞれもとのケース２内に戻しておき、繰り返し使用する。線香３と、容器４内の着火剤４３とは、その使用により消耗するので、適宜タイミングで補充しておく必要がある。
【００４６】
以上説明したように、本実施形態の容器４は、着火剤４３の塗布量を調整する調整部材４ａ〜４ｄの少なくともいずれかを備えているので、簡易な構成でありながら、着火剤４３の塗布量を常に最適なものに調整することができる。これにより、従来技術のように、塗布量を少なくしすぎると、線香３に点火困難となり、塗布量を多くしすぎると、線香３に着火するやいなや炎が上がって線香３が燃え尽きてしまう、といった不具合をなくすことができる。
【００４７】
また、本実施形態の線香セット１は、携帯用ケース２内に、線香３と、容器４と、ライター５とを収納したものであるので、線香の着火に必要なものをまとめてその利便性を高めることができる。
【００４８】
なお、上記実施形態では、線香セット１にライター５を含めているが、ライター５に代えてマッチなど他の着火具を含めてもよい。
【００４９】
また、上記実施形態では、ケース２を上下二段重ね構造であって、それを使用時に展開可能なものとしているが、ケース２は常時平面的なものであってもよいし、ケース２に代えて、ポリ袋やビニール袋内に、線香３等を封入することとしてもよい。また、線香３等は、ケース２内で互いに接触しにくくしておくのが好ましいが、かかる点は、ポリ袋やビニール袋においても同様である。
【００５０】
また、上記実施形態では、容器４に調整部材４ａ〜４ｄのいずれかを備えているが、それらを適宜組み合わせたものを備えてもよい。例えば、調整部材４ｂにおける容器４の上縁に押しこぼれ防止用のリング部材４７を他の調整部材４ａなどに備えることで、スポンジ４４の復元時にその着火剤４３の押しこぼれを防止できる。
【００５１】
また、上記実施形態の調整部材４ａ〜４ｄを適宜変形して実施することも考えられる。例えば、調整部材４ｃにおいて、スプリング４６は必ずしも孔開きプレート４５と別体とする必然性はなく、両者を一体化することができる。具体的には、孔開きプレート４５の周囲の一部を折り返して、それをスプリングとしてもよい。
【符号の説明】
【００５２】
１  線香セット
２  ケース
３  線香
３３，３３ａ  一端（先端に相当する。）
３４，３４ａ  他端（先端に相当する。）
４  容器（着火剤容器に相当する。）
４ａ〜４ｄ  調整部材
４１  容器本体
４２  容器蓋
４３  着火剤
４４  スポンジ
４５  孔開きプレート
４６  スプリング
４７  リング部材
４８  押し出しチューブ
４９  カラービーズ（ビーズ玉に相当する。）
５  ライター（着火具に相当する。）
６  押出具
【先行技術文献】
【特許文献】
【００５３】
【特許文献１】実用新案登録第３０２９０９９号公報
【図１】
2015061555.tif 000003
【図２】
2015061555.tif 000004
【図３】
2015061555.tif 000005
【図４】
2015061555.tif 000006
【図５】
2015061555.tif 000007
【図６】
2015061555.tif 000008